(57)【特許請求の範囲】
【請求項１】
ユーザ機器（ＵＥ）によるワイヤレス通信のための方法であって、
サブフレーム内で、複数の狭帯域を備えるシステム帯域幅内の狭帯域を表す第１の数の物理リソースブロック（ＰＲＢ）を占有するマシンタイプ物理ダウンリンク制御チャネル（ＭＰＤＣＣＨ）上での送信について監視するための第１の探索空間を識別することと、
前記ＭＰＤＣＣＨ上で送信されるブロードキャスト制御情報について少なくとも前記第１の探索空間を監視することと、ここにおいて、前記ブロードキャスト制御情報が、ページングメッセージのための情報を備え、
ＵＥ  ＩＤ−狭帯域マッピングルールに従って、前記ページングメッセージのために使用される、前記狭帯域を識別することと、ここにおいて、
前記ＵＥ  ＩＤ−狭帯域マッピングルールは、ＵＥ  ＩＤをページングのための狭帯域領域にマッピングする、
前記狭帯域が、１つまたは複数の他のＵＥのためのページングメッセージのために使用される前記複数の狭帯域のうちの１つまたは複数の他の狭帯域とは異なる、を備え、
前記ページングメッセージのための前記情報が、複数のＵＥのためのページング情報（paging information）と、前記ページングメッセージを前記ＵＥに宛てるためのＵＥ  ＩＤとを備え、ここにおいて、前記ページングメッセージのための前記情報が、ページング無線ネットワーク一時識別子（Ｐ−ＲＮＴＩ）を備える、方法。
【請求項２】
システム情報ブロック（ＳＩＢ）中で前記ページングメッセージのための構成情報を受信することをさらに備える、請求項１に記載の方法。
【請求項３】
システム情報ブロック（ＳＩＢ）変更の指示を受信することをさらに備え、ここにおいて、前記ＳＩＢが、前記ブロードキャスト制御情報を復号するための情報を備える、請求項１に記載の方法。
【請求項４】
前記ＳＩＢ変更の前記指示を受信することが、物理ブロードキャストチャネル（ＰＢＣＨ）上で送信されるマスタ情報ブロック（ＭＩＢ）中で前記ＳＩＢ変更の前記指示を受信することを備える、請求項３に記載の方法。
【請求項５】
前記ＵＥがどのくらいの頻度で前記ＭＩＢを捕捉すべきであるかを示すシグナリングを受信することをさらに備える、請求項４に記載の方法。
【請求項６】
前記ＳＩＢ変更の前記指示を受信することが、前記ダウンリンク制御チャネル中で前記ＳＩＢ変更の前記指示を受信することを備える、請求項３に記載の方法。
【請求項７】
前記ダウンリンク制御チャネル中の２ビットの異なる組合せは、ＳＩＢ変更があるかどうかと、前記ＵＥのためのページング情報があるかどうかとを示す、請求項６に記載の方法。
【請求項８】
前記ＳＩＢ変更の前記指示が、前記ＳＩＢ中のどのフィールドが変更されたかの指示と、変更された前記ＳＩＢ中の前記フィールドの値とを備える、請求項３に記載の方法。
【請求項９】
前記ブロードキャスト制御情報がランダムアクセス応答（ＲＡＲ）メッセージを備える、請求項１に記載の方法。
【請求項１０】
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子（preamble identifier）のうちの少なくとも１つを備える、請求項９に記載の方法。
【請求項１１】
前記ＲＡＲメッセージが、前記ＵＬ送信のためのバンドルサイズをさらに備える、請求項１０に記載の方法。
【請求項１２】
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、請求項９に記載の方法。
【請求項１３】
システム情報ブロック（ＳＩＢ）中で前記ＲＡＲメッセージのための構成情報を受信することをさらに備える、請求項９に記載の方法。
【請求項１４】
前記ダウンリンク制御チャネルが、マシンタイプ通信物理ダウンリンク制御チャネル（ＭＰＤＣＣＨ）または狭帯域物理ダウンリンク制御チャネル（ＮＢ−ＰＤＣＣＨ）のうちの少なくとも１つを備える、請求項１に記載の方法。
【請求項１５】
基地局（ＢＳ）における使用のためのワイヤレス通信のための方法であって、
サブフレーム内で、複数の狭帯域を備えるシステム帯域幅内の狭帯域を表す第１の数の物理リソースブロック（ＰＲＢ）を占有するマシンタイプ物理ダウンリンク制御チャネル（ＭＰＤＣＣＨ）上で送信するための第１の探索空間を識別することと、
前記第１の探索空間中の復号候補を使用して、前記ＭＰＤＣＣＨ上でブロードキャスト制御情報をユーザ機器（ＵＥ）に送信することと、ここにおいて、
前記ブロードキャスト制御情報が、ページングメッセージのための情報を備え、
ＵＥ  ＩＤ−狭帯域マッピングルールに従って、前記ページングメッセージのために使用される、前記狭帯域を識別することと、ここにおいて、
前記ＵＥ  ＩＤ−狭帯域マッピングルールは、ＵＥ  ＩＤをページングのための狭帯域領域にマッピングする、
前記狭帯域が、１つまたは複数の他のＵＥのためのページングメッセージのために使用される前記複数の狭帯域のうちの１つまたは複数の他の狭帯域とは異なる、を備え、
前記ページングメッセージのための前記情報が、複数のＵＥのためのページング情報と、前記ページングメッセージを前記ＵＥに宛てるためのＵＥ  ＩＤとを備え、ここにおいて、前記ページングメッセージのための前記情報が、ページング無線ネットワーク一時識別子（Ｐ−ＲＮＴＩ）を備える、方法。
【請求項１６】
システム情報ブロック（ＳＩＢ）中で前記ページングメッセージのための構成情報を送信することをさらに備える、請求項１５に記載の方法。
【請求項１７】
システム情報ブロック（ＳＩＢ）変更の指示を送信することをさらに備え、ここにおいて、前記ＳＩＢが、前記ブロードキャスト制御情報を復号するための情報を備える、請求項１５に記載の方法。
【請求項１８】
前記ＳＩＢ変更の前記指示を送信することが、物理ブロードキャストチャネル（ＰＢＣＨ）上のマスタ情報ブロック（ＭＩＢ）中で前記ＳＩＢ変更の前記指示を送信することを備える、請求項１７に記載の方法。
【請求項１９】
前記ＵＥがどのくらいの頻度で前記ＭＩＢを捕捉すべきであるかを示すシグナリングを送信することをさらに備える、請求項１８に記載の方法。
【請求項２０】
前記ＳＩＢ変更の前記指示を送信することが、前記ダウンリンク制御チャネル中で前記ＳＩＢ変更の前記指示を送信することを備える、請求項１７に記載の方法。
【請求項２１】
前記ダウンリンク制御チャネル中の２ビットの異なる組合せは、ＳＩＢ変更があるかどうかと、前記ＵＥのためのページング情報があるかどうかとを示す、請求項２０に記載の方法。
【請求項２２】
前記ＳＩＢ変更の前記指示が、前記ＳＩＢ中のどのフィールドが変更されたかの指示と、変更されたＳＩＢ中の前記フィールドの値とを備える、請求項１７に記載の方法。
【請求項２３】
前記ブロードキャスト制御情報がランダムアクセス応答（ＲＡＲ）メッセージを備える、請求項１５に記載の方法。
【請求項２４】
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、請求項２３に記載の方法。
【請求項２５】
前記ＲＡＲメッセージが、前記ＵＬ送信のためのバンドルサイズをさらに備える、請求項２４に記載の方法。
【請求項２６】
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、請求項２３に記載の方法。
【請求項２７】
システム情報ブロック（ＳＩＢ）中で前記ＲＡＲメッセージのための構成情報を送信することをさらに備える、請求項２３に記載の方法。
【請求項２８】
前記ダウンリンク制御チャネルが、マシンタイプ通信物理ダウンリンク制御チャネル（ＭＰＤＣＣＨ）または狭帯域物理ダウンリンク制御チャネル（ＮＢ−ＰＤＣＣＨ）のうちの少なくとも１つを備える、請求項１５に記載の方法。
【請求項２９】
ユーザ機器（ＵＥ）によるワイヤレス通信のための装置であって、
少なくとも１つのプロセッサと、
前記少なくとも１つのプロセッサに結合されたメモリとを備え、
前記メモリは、前記装置に、
サブフレーム内で、複数の狭帯域を備えるシステム帯域幅内の狭帯域を表す第１の数の物理リソースブロック（ＰＲＢ）を占有する、マシンタイプ物理ダウンリンク制御チャネル（ＭＰＤＣＣＨ）上の送信について監視するための第１の探索空間を識別することと、
前記ＭＰＤＣＣＨで送信されるブロードキャスト制御情報について少なくとも前記第１の探索空間を監視することと、ここにおいて、前記ブロードキャスト制御情報がページングメッセージのための情報を備える、
ＵＥ  ＩＤ−狭帯域マッピングルールに従って、前記ページングメッセージのために使用される、前記狭帯域を識別することと、ここにおいて、
前記ＵＥ  ＩＤ−狭帯域マッピングルールは、ＵＥ  ＩＤをページングのための狭帯域領域にマッピングし、
前記狭帯域が、１つまたは複数の他のＵＥのためのページングメッセージのために使用される前記複数の狭帯域のうちの１つまたは複数の他の狭帯域とは異なる、を行わせるように、前記少なくとも１つのプロセッサよって実行可能な命令を備え、
前記ページングメッセージのための前記情報が、複数のＵＥのためのページング情報と、前記ページングメッセージを前記ＵＥに宛てるためのＵＥ  ＩＤとを備え、ここにおいて、前記ページングメッセージのための前記情報が、ページング無線ネットワーク一時識別子（Ｐ−ＲＮＴＩ）を備える、装置。
【請求項３０】
前記メモリは、前記装置に、システム情報ブロック（ＳＩＢ）変更の指示を受信することを行わせるように、前記少なくとも１つのプロセッサによって実行可能な命令をさらに備え、ここにおいて、前記ＳＩＢが、前記ブロードキャスト制御情報を復号するための情報を備える、請求項２９に記載の装置。
【請求項３１】
前記メモリは、前記装置に、物理ブロードキャストチャネル（ＰＢＣＨ）上で送信されるマスタ情報ブロック（ＭＩＢ）中で前記ＳＩＢ変更の前記指示を受信することを行わせるように、前記少なくとも１つのプロセッサによって実行可能な命令をさらに備え、請求項３０に記載の装置。
【請求項３２】
前記ＳＩＢ変更の前記指示が、前記ＳＩＢ中のどのフィールドが変更されたかの指示と、変更された前記ＳＩＢ中の前記フィールドの値とを備える、請求項３０に記載の装置。
【請求項３３】
前記ブロードキャスト制御情報がランダムアクセス応答（ＲＡＲ）メッセージを備える、請求項２９に記載の装置。
【請求項３４】
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、請求項３３に記載の装置。
【請求項３５】
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、請求項３３に記載の装置。
【請求項３６】
基地局（ＢＳ）によるワイヤレス通信のための装置であって、
少なくとも１つのプロセッサと、
前記少なくとも１つのプロセッサに結合されたメモリと、
前記メモリは、前記装置に、
サブフレーム内で、複数の狭帯域を備えるシステム帯域幅内の狭帯域を表す第１の数の物理リソースブロック（ＰＲＢ）を占有するマシンタイプ物理ダウンリンク制御チャネル（ＭＰＤＣＣＨ）上で送信するための第１の探索空間を識別することを行わせるように、前記少なくとも１つのプロセッサよって実行可能な命令を備える、
前記第１の探索空間中の復号候補を使用して、前記ＭＰＤＣＣＨ上でブロードキャスト制御情報をユーザ機器（ＵＥ）に送信するように構成された送信機と、ここにおいて、前記ブロードキャスト制御情報がページングメッセージのための情報を備える、を備え、
前記メモリは、前記装置に、ＵＥ  ＩＤ−狭帯域マッピングルールに従って、前記ページングメッセージのために使用される、前記狭帯域を識別することを行わせるように、前記少なくとも１つのプロセッサによって実行可能な命令をさらに備え、ここにおいて、
前記ＵＥ  ＩＤ−狭帯域マッピングルールは、ＵＥ  ＩＤをページングのための狭帯域領域にマッピングし、
前記狭帯域が、１つまたは複数の他のＵＥのためのページングメッセージのために使用される前記複数の狭帯域のうちの１つまたは複数の他の狭帯域とは異なり、
前記ページングメッセージのための前記情報が、複数のＵＥのためのページング情報と、前記ページングメッセージを前記ＵＥに宛てるためのＵＥ  ＩＤとを備え、ここにおいて、前記ページングメッセージのための前記情報が、ページング無線ネットワーク一時識別子（Ｐ−ＲＮＴＩ）を備える、装置。
【請求項３７】
前記送信機が、システム情報ブロック（ＳＩＢ）変更の指示を送信するようにさらに構成され、ここにおいて、前記ＳＩＢが、前記ブロードキャスト制御情報を復号するための情報を備える、請求項３６に記載の装置。
【請求項３８】
前記ＳＩＢ変更の前記指示が、および前記ＳＩＢ中のどのフィールドが変更されたかの指示と、変更されたＳＩＢ中の前記フィールドの値とを備える、請求項３７に記載の装置。
【請求項３９】
前記ブロードキャスト制御情報がランダムアクセス応答（ＲＡＲ）メッセージを備える、請求項３６に記載の装置。
【請求項４０】
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、請求項３９に記載の装置。
【請求項４１】
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、請求項３９に記載の装置。
【請求項４２】
ユーザ機器（ＵＥ）によるワイヤレス通信のための装置であって、
サブフレーム内で、複数の狭帯域を備えるシステム帯域幅内の狭帯域を表す第１の数の物理リソースブロック（ＰＲＢ）を占有するマシンタイプ物理ダウンリンク制御チャネル（ＭＰＤＣＣＨ）上の送信について監視するための第１の探索空間を識別するための手段と、
前記ＭＰＤＣＣＨ上で送信されるブロードキャスト制御情報について少なくとも前記第１の探索空間を監視するための手段と、ここにおいて、前記ブロードキャスト制御情報がページングメッセージのための情報を備える、
ＵＥ  ＩＤ−狭帯域マッピングルールに従って、前記ページングメッセージのために使用される、前記狭帯域を識別するための手段と、ここにおいて、
前記ＵＥ  ＩＤ−狭帯域マッピングルールは、ＵＥ  ＩＤをページングのための狭帯域領域にマッピングし、
前記狭帯域が、１つまたは複数の他のＵＥのためのページングメッセージのために使用される前記複数の狭帯域のうちの１つまたは複数の他の狭帯域とは異なる、を備え、
前記ページングメッセージのための前記情報が、複数のＵＥのためのページング情報と、前記ページングメッセージを前記ＵＥに宛てるためのＵＥ  ＩＤとを備え、ここにおいて、前記ページングメッセージのための前記情報が、ページング無線ネットワーク一時識別子（Ｐ−ＲＮＴＩ）を備える、装置。
【請求項４３】
基地局（ＢＳ）によるワイヤレス通信のための装置であって、
サブフレーム内で、複数の狭帯域を備えるシステム帯域幅内の狭帯域を表す第１の数の物理リソースブロック（ＰＲＢ）を占有するマシンタイプ物理ダウンリンク制御チャネル（ＭＰＤＣＣＨ）上で送信するための、ユーザ機器（ＵＥ）によって監視される第１の探索空間を識別するための手段と、
前記第１の探索空間中の復号候補を使用して、前記ＭＰＤＣＣＨ上でブロードキャスト制御情報をユーザ機器（ＵＥ）に送信するための手段と、ここにおいて、前記ブロードキャスト制御情報がページングメッセージのための情報  を備える、
ＵＥ  ＩＤ−狭帯域マッピングルールに従って、前記ページングメッセージのために使用される、前記狭帯域を識別するための手段と、ここにおいて、
前記ＵＥ  ＩＤ−狭帯域マッピングルールは、ＵＥ  ＩＤをページングのための狭帯域領域にマッピングし、
前記狭帯域が、１つまたは複数の他のＵＥのためのページングメッセージのために使用される前記複数の狭帯域のうちの１つまたは複数の他の狭帯域とは異なる、を備え、
前記ページングメッセージのための前記情報が、複数のＵＥのためのページング情報と、前記ページングメッセージを前記ＵＥに宛てるためのＵＥ  ＩＤとを備え、ここにおいて、前記ページングメッセージのための前記情報が、ページング無線ネットワーク一時識別子（Ｐ−ＲＮＴＩ）を備える、装置。
【請求項４４】
少なくとも１つのプロセッサによって実行可能なコードを備える非一時的コンピュータ可読媒体であって、前記コードは、
サブフレーム内で、複数の狭帯域を備えるシステム帯域幅内の狭帯域を表す第１の数の物理リソースブロック（ＰＲＢ）を占有するマシンタイプ物理ダウンリンク制御チャネル（ＭＰＤＣＣＨ）上の送信について監視するための第１の探索空間を識別するためのコードと、
前記ＭＰＤＣＣＨ上で送信されるブロードキャスト制御情報について少なくとも前記第１の探索空間を監視するためのコードと、ここにおいて、前記ブロードキャスト制御情報がページングメッセージのための情報を備える、
ＵＥ  ＩＤ−狭帯域マッピングルールに従って、前記ページングメッセージのために使用される、前記狭帯域を識別するためのコードと、ここにおいて、
前記ＵＥ  ＩＤ−狭帯域マッピングルールは、ＵＥ  ＩＤをページングのための狭帯域領域にマッピングし、
前記狭帯域が、１つまたは複数の他のＵＥのためのページングメッセージのために使用される前記複数の狭帯域のうちの１つまたは複数の他の狭帯域とは異なる、を備え、
前記ページングメッセージのための前記情報が、複数のＵＥのためのページング情報と、前記ページングメッセージを前記ＵＥに宛てるためのＵＥ  ＩＤとを備え、ここにおいて、前記ページングメッセージのための前記情報が、ページング無線ネットワーク一時識別子（Ｐ−ＲＮＴＩ）を備える、
非一時的コンピュータ可読媒体。
【請求項４５】
少なくとも１つのプロセッサによって実行可能なコードを備える非一時的コンピュータ可読媒体であって、前記コードは、
サブフレーム内で、複数の狭帯域を備えるシステム帯域幅内の狭帯域を表す第１の数の物理リソースブロック（ＰＲＢ）を占有するマシンタイプ物理ダウンリンク制御チャネル（ＭＰＤＣＣＨ）上で送信するための第１の探索空間を識別するためのコードと、
前記第１の探索空間中の復号候補を使用して、前記ＭＰＤＣＣＨ上でブロードキャスト制御情報をユーザ機器（ＵＥ）に送信するためのコードと、ここにおいて、前記ブロードキャスト制御情報がページングメッセージのための情報を備える、
ＵＥ  ＩＤ−狭帯域マッピングルールに従って、前記ページングメッセージのために使用される、前記狭帯域を識別するためのコードと、ここにおいて、
前記ＵＥ  ＩＤ−狭帯域マッピングルールは、ＵＥ  ＩＤをページングのための狭帯域領域にマッピングし、
前記狭帯域が、１つまたは複数の他のＵＥのためのページングメッセージのために使用される前記複数の狭帯域のうちの１つまたは複数の他の狭帯域とは異なる、を備え、
前記ページングメッセージのための前記情報が、複数のＵＥのためのページング情報と、前記ページングメッセージを前記ＵＥに宛てるためのＵＥ  ＩＤとを備え、ここにおいて、前記ページングメッセージのための前記情報が、ページング無線ネットワーク一時識別子（Ｐ−ＲＮＴＩ）を備える、
非一時的コンピュータ可読媒体。
【発明の詳細な説明】
【技術分野】
【０００１】
米国特許法第１１９条に基づく優先権の主張
[0001]  本出願は、その全体がともに参照により本明細書に組み込まれる、２０１５年４月２０日に出願された米国仮特許出願第６２／１５０，２４７号、および２０１６年４月１９日に出願された米国特許出願第１５／１３２，７２９号の利益を主張する。
【０００２】
[0002]  本開示のいくつかの態様は、一般にワイヤレス通信（wireless communication）に関し、より詳細には、制御チャネルベースのブロードキャストメッセージング（control channel based broadcast messaging）に関する。
【背景技術】
【０００３】
[0003]  ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標）：Long Term Evolution）／ＬＴＥアドバンストシステムおよび直交周波数分割多元接続（ＯＦＤＭＡ）システムがある。
【０００４】
[0004]  概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]  ワイヤレス通信ネットワークは、いくつかのワイヤレスデバイスのための通信をサポートすることができるいくつかの基地局を含み得る。ワイヤレスデバイスはユーザ機器（ＵＥ：user equipment）を含み得る。ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブック、ロボット、ドローン、ウェアラブルデバイス（たとえば、スマートウォッチ、スマートブレスレット、スマートリング、スマート衣類、スマート眼鏡）などがあり得る。いくつかのＵＥは、基地局、別のリモートデバイス、または何らかの他のエンティティ（entity）と通信し得る、センサー、メーター、ロケーションタグ、監視デバイスなどのリモートデバイスを含み得る、マシンタイプ通信（ＭＴＣ：machine type communication）ＵＥと見なされ得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ：Public Land Mobile Network）を介した、ＭＴＣサーバおよび／または他のＭＴＣデバイスとのＭＴＣ通信が可能であるＵＥを含み得る。
【０００６】
[0006]  ＭＴＣデバイスなどのいくつかのデバイスのカバレージを向上させるために、「バンドリング（bundling）」が利用され得、「バンドリング」では、いくつかの送信が送信のバンドルとして送られ、たとえば、複数のサブフレーム（subframe）上で同じ情報（information）が送信される。
【発明の概要】
【０００７】
[0007]  本開示のいくつかの態様は、マシンタイプ通信（ＭＴＣ）ＵＥなど、いくつかのデバイスに制御チャネル（control channel）を通信するための技法および装置を提供する。
【０００８】
[0008]  本開示のいくつかの態様は、ユーザ機器（ＵＥ）によるワイヤレス通信のための方法を提供する。本方法は、概して、サブフレーム内で、複数の狭帯域（narrowband）を備えるシステム帯域幅（system bandwidth）内の狭帯域を表す第１の数の物理リソースブロック（ＰＲＢ：physical resource block）を占有する（occupy）制御チャネルについて監視する（monitor）ための第１の探索空間（search space）を識別する（identify）ことと、ブロードキャスト制御情報（broadcast control information）について少なくとも第１の探索空間を監視することと、ここにおいて、制御チャネルがブロードキャスト制御情報を備える、を含む。
【０００９】
[0009]  本開示のいくつかの態様は、ユーザ機器（ＵＥ）によるワイヤレス通信のための装置を提供する。本装置は、概して、サブフレーム内で、複数の狭帯域を備えるシステム帯域幅内の狭帯域を表す第１の数の物理リソースブロック（ＰＲＢ）を占有する制御チャネルについて監視するための第１の探索空間を識別することと、制御チャネルについて少なくとも第１の探索空間を監視することと、ここにおいて、制御チャネルがブロードキャスト制御情報を備える、を行うように構成された少なくとも１つのプロセッサを含む。本装置はまた、少なくとも１つのプロセッサと結合されたメモリを含む。
【００１０】
[0010]  本開示のいくつかの態様は、ユーザ機器（ＵＥ）によるワイヤレス通信のための装置を提供する。本装置は、概して、サブフレーム内で、複数の狭帯域を備えるシステム帯域幅内の狭帯域を表す第１の数の物理リソースブロック（ＰＲＢ）を占有する制御チャネルについて監視するための第１の探索空間を識別するための手段と、制御チャネルについて少なくとも第１の探索空間を監視するための手段と、ここにおいて、制御チャネルがブロードキャスト制御情報を備える、を含む。
【００１１】
[0011]  本開示のいくつかの態様は、ユーザ機器（ＵＥ）によるワイヤレス通信のための非一時的コンピュータ可読媒体（non-transitory computer readable medium）を提供する。本非一時的コンピュータ可読媒体は、概して、サブフレーム内で、複数の狭帯域を備えるシステム帯域幅内の狭帯域を表す第１の数の物理リソースブロック（ＰＲＢ）を占有する制御チャネルについて監視するための第１の探索空間を識別するためのコード（code）と、制御チャネルについて少なくとも第１の探索空間を監視するためのコードと、ここにおいて、制御チャネルがブロードキャスト制御情報を備える、を含む。
【００１２】
[0012]  本開示のいくつかの態様は、基地局（ＢＳ：base station）によるワイヤレス通信のための方法を提供する。本方法は、概して、サブフレーム内で、複数の狭帯域を備えるシステム帯域幅内の狭帯域を表す第１の数の物理リソースブロック（ＰＲＢ）を占有する制御チャネルを送信するための第１の探索空間を識別することと、第１の探索空間中の復号候補（decoding candidate）を使用して、制御チャネルをユーザ機器（ＵＥ）に送信することと、ここにおいて、制御チャネルがブロードキャスト制御情報を備える、を含む。
【００１３】
[0013]  本開示のいくつかの態様は、基地局（ＢＳ）によるワイヤレス通信のための装置を提供する。本装置は、概して、サブフレーム内で、複数の狭帯域を備えるシステム帯域幅内の狭帯域を表す第１の数の物理リソースブロック（ＰＲＢ）を占有する制御チャネルを送信するための第１の探索空間を識別するように構成された少なくとも１つのプロセッサと、第１の探索空間中の復号候補を使用して、制御チャネルをユーザ機器（ＵＥ）に送信するように構成された送信機と、ここにおいて、制御チャネルがブロードキャスト制御情報を備える、を含む。本装置はまた、概して、少なくとも１つのプロセッサと結合されたメモリを含む。
【００１４】
[0014]  本開示のいくつかの態様は、基地局（ＢＳ）によるワイヤレス通信のための装置を提供する。本装置は、概して、サブフレーム内で、複数の狭帯域を備えるシステム帯域幅内の狭帯域を表す第１の数の物理リソースブロック（ＰＲＢ）を占有する制御チャネルを送信するための第１の探索空間を識別するための手段と、第１の探索空間中の復号候補を使用して、制御チャネルをユーザ機器（ＵＥ）に送信するための手段と、ここにおいて、制御チャネルがブロードキャスト制御情報を備える、を含む。
【００１５】
[0015]  本開示のいくつかの態様は、基地局（ＢＳ）によるワイヤレス通信のための非一時的コンピュータ可読媒体を提供する。本非一時的コンピュータ可読媒体は、概して、サブフレーム内で、複数の狭帯域を備えるシステム帯域幅内の狭帯域を表す第１の数の物理リソースブロック（ＰＲＢ）を占有する制御チャネルを送信するための第１の探索空間を識別するためのコードと、第１の探索空間中の復号候補を使用して、制御チャネルをユーザ機器（ＵＥ）に送信するためのコードと、ここにおいて、制御チャネルがブロードキャスト制御情報を備える、を含む。
【００１６】
[0016]  方法、装置、システム、コンピュータプログラム製品、および処理システムを含む多数の他の態様が提供される。
【図面の簡単な説明】
【００１７】
【図１】[0017]  本開示のいくつかの態様による、ワイヤレス通信ネットワークの一例を概念的に示すブロック図。
【図２】[0018]  本開示のいくつかの態様による、ワイヤレス通信ネットワークにおいてユーザ機器（ＵＥ）と通信している基地局の一例を概念的に示すブロック図。
【図３】[0019]  本開示のいくつかの態様による、ワイヤレス通信ネットワークにおけるフレーム構造の一例を概念的に示すブロック図。
【図４】[0020]  ノーマルサイクリックプレフィックス（normal cyclic prefix）をもつ２つの例示的なサブフレームフォーマットを概念的に示すブロック図。
【図５】[0021]  本開示のいくつかの態様による、ｅＭＴＣのための例示的なサブフレーム構成を示す図。
【図６Ａ】[0022]  本開示のいくつかの態様による、ＬＴＥなど、広帯域システム内のＭＴＣ共存の一例を示す図。
【図６Ｂ】本開示のいくつかの態様による、ＬＴＥなど、広帯域システム内のＭＴＣ共存の一例を示す図。
【図７】[0023]  本開示のいくつかの態様による、ユーザ機器（ＵＥ）による、ワイヤレス通信のための例示的な動作を示す図。
【図８】[0024]  本開示のいくつかの態様による、基地局（ＢＳ）による、ワイヤレス通信のための例示的な動作を示す図。
【発明を実施するための形態】
【００１８】
[0025]  本開示の態様は、基地局とマシンタイプ通信（ＭＴＣ）ベースのユーザ機器（ＵＥ）との間の効率的な通信を可能にするのを助け得る技法を提供する。たとえば、本技法は、通信のために狭帯域（たとえば、６ＰＲＢ）ベースの探索空間を使用する、ＭＴＣ  ＵＥをターゲットにする制御チャネルのための設計を提供し得る。
【００１９】
[0026]  本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上無線アクセス（ＵＴＲＡ）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下ではＬＴＥ／ＬＴＥアドバンストに関して説明され、以下の説明の大部分でＬＴＥ／ＬＴＥアドバンスト用語が使用される。ＬＴＥおよびＬＴＥ−Ａは、一般にＬＴＥと呼ばれる。
【００２０】
[0027]  図１は、本開示の態様が実施され得る例示的なワイヤレス通信ネットワーク１００を示す。たとえば、本明細書で提示される技法は、図１に示されているＵＥおよびＢＳが、狭帯域（たとえば、６ＰＲＢ）ベースの探索空間を使用して、マシンタイプ物理ダウンリンク制御チャネル（ｍＰＤＣＣＨ：machine type physical downlink control channel）上で通信するのを助けるために使用され得る。
【００２１】
[0028]  ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００２２】
[0029]  ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」および「セル」という用語は、本明細書では互換的に使用され得る。
【００２３】
[0030]  ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００２４】
[0031]  ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００２５】
[0032]  ネットワークコントローラ１３０は、ｅＮＢのセットに結合し得、これらのｅＮＢの協調および制御を行い得る。ネットワークコントローラ１３０はバックホール（backhaul）を介してｅＮＢと通信し得る。ｅＮＢはまた、たとえば、ワイヤレスバックホールまたはワイヤラインバックホールを介して直接または間接的に互いに通信し得る。
【００２６】
[0033]  ＵＥ１２０（たとえば、１２０ａ、１２０ｂ、１２０ｃ）は、ワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の潜在的に干渉する送信を示す。
【００２７】
[0034]  図２は、図１の基地局／ｅＮＢの１つであり得る基地局／ｅＮＢ１１０および図１のＵＥの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００２８】
[0035]  基地局１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００２９】
[0036]  ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサは、ＲＳＲＰ、ＲＳＳＩ、ＲＳＲＱ、ＣＱＩなどを決定し得る。
【００３０】
[0037]  アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３１】
[0038]  コントローラ／プロセッサ２４０および２８０は、それぞれ基地局１１０およびＵＥ１２０における動作を指示し得る。たとえば、基地局１１０におけるプロセッサ２４０および／または他のプロセッサおよびモジュールは、図８に示されている直接動作８００を実行し得る。同様に、ＵＥ１２０におけるプロセッサ２８０および／または他のプロセッサおよびモジュールは、図７に示されている動作７００を実行または指示し得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００３２】
[0039]  図３は、ＬＴＥにおけるＦＤＤのための例示的なフレーム構造３００を示す。ダウンリンクおよびアップリンクの各々に関する送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示されているように）ノーマルサイクリックプレフィックスの場合は７つのシンボル期間、または拡張サイクリックプレフィックス（extended cyclic prefix）の場合は６つのシンボル期間を含み得る。各サブフレーム中の２Ｌ個のシンボル期間は０〜２Ｌ−１のインデックスを割り当てられ得る。
【００３３】
[0040]  ＬＴＥでは、ｅＮＢは、ｅＮＢによってサポートされるセルごとにシステム帯域幅の中心においてダウンリンク上で１次同期信号（ＰＳＳ：primary synchronization signal）と２次同期信号（ＳＳＳ：secondary synchronization signal）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索（cell search）および捕捉（acquisition）のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ：physical broadcast channel）を送信し得る。ＰＢＣＨは何らかのシステム情報を搬送（carry）し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中に、物理ダウンリンク制御チャネル（ＰＤＣＣＨ：physical downlink control channel）上で制御情報／データを送信し得、ここで、Ｂは各サブフレームについて構成可能（configurable）であり得る。ｅＮＢは、各サブフレームの残りのシンボル期間中に、ＰＤＳＣＨ上でトラフィックデータおよび／または他のデータを送信し得る。
【００３４】
[0041]  図４は、ノーマルサイクリックプレフィックスをもつ２つの例示的なサブフレームフォーマット４１０および４２０を示す。利用可能な時間周波数リソースはリソースブロック（resource block）に区分され得る。各リソースブロックは、１つのスロット中の１２個のサブキャリアをカバーし得、いくつかのリソース要素を含み得る。各リソース要素は、１つのシンボル期間中の１つのサブキャリアをカバーし得、実数値または複素数値であり得る１つの変調シンボルを送るために使用され得る。
【００３５】
[0042]  サブフレームフォーマット４１０は、２つのアンテナのために使用され得る。ＣＲＳは、シンボル期間０、４、７および１１中でアンテナ０および１から送信され得る。基準信号は、送信機および受信機によってアプリオリ（a priori）に知られる信号であり、パイロットと呼ばれることもある。ＣＲＳは、たとえば、セル識別情報（ＩＤ：identity）に基づいて生成される、セルに固有である基準信号である。図４では、ラベルＲａをもつ所与のリソース要素について、アンテナａからはそのリソース要素上で変調シンボルが送信され得、他のアンテナからはそのリソース上で変調シンボルが送信されないことがある。サブフレームフォーマット４２０は、４つのアンテナとともに使用され得る。ＣＲＳは、シンボル期間０、４、７および１１中でアンテナ０および１から送信され、シンボル期間１および８中でアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。ＣＲＳは、それらのセルＩＤに応じて、同じまたは異なるサブキャリア上で送信され得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００３６】
[0043]  ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００３７】
[0044]  ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ただし、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００３８】
[0045]  ワイヤレスネットワークは、ダウンリンクおよびアップリンク上でのデータ送信のためにハイブリッド自動再送要求（ＨＡＲＱ：hybrid automatic retransmission request）をサポートし得る。ＨＡＲＱでは、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信が単一のインターレースのサブフレーム中で送られ得る。非同期ＨＡＲＱの場合、パケットの各送信は任意のサブフレーム中で送られ得る。
【００３９】
[0046]  ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失などの様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオ（dominant interference scenario）において動作し得る。
【００４０】
マシンタイプ通信のための例示的な制御チャネル設計（EXAMPLE CONTROL CHANNEL DESIGN FOR MACHINE TYPE COMMUNICATIONS）
[0047]  上述のように、本開示の態様は、システム帯域幅全体のうちの比較的狭帯域（relatively narrowband）を使用する（たとえば、複数の狭帯域を備えるシステム帯域幅内の狭帯域を使用する）マシンタイプ通信（ＭＴＣ）デバイスに制御チャネルをシグナリングするための技法を提供する。
【００４１】
[0048]  （たとえば、レガシー「非ＭＴＣ」デバイスのための）旧来のＬＴＥ設計の焦点は、スペクトル効率の改善、ユビキタスカバレージ（ubiquitous coverage）、および向上されたサービス品質（ＱｏＳ：quality of service）サポートに対するものである。現在のＬＴＥシステムのダウンリンク（ＤＬ）およびアップリンク（ＵＬ）リンクバジェット（link budget）は、比較的大きいＤＬおよびＵＬリンクバジェットをサポートし得る、最先端のスマートフォンおよびタブレットなど、ハイエンドデバイスのカバレージのために設計される。
【００４２】
[0049]  しかしながら、低コスト、低レートデバイスもサポートされる必要がある。たとえば、いくつかの規格（たとえば、ＬＴＥリリース１２）は、概して、低コスト設計またはマシンタイプ通信をターゲットにする、（カテゴリー０  ＵＥと呼ばれる）新しいタイプのＵＥを導入した。マシンタイプ通信（ＭＴＣ）では、限られた量の情報のみが交換される必要があり得るので、様々な要件が緩和され得る。たとえば、（レガシーＵＥに対して）最大帯域幅が低減され得、単一の受信無線周波数（ＲＦ）チェーンが使用され得、ピークレートが低減され得（たとえば、トランスポートブロックサイズのために最高１００ビット）、送信電力が低減され得、ランク１（Rank 1）送信が使用され得、半二重動作が実行され得る。
【００４３】
[0050]  いくつかの場合には、半二重動作が実行される場合、ＭＴＣ  ＵＥは、送信から受信に（または受信から送信に）遷移するための緩和された切替え時間を有し得る。たとえば、切替え時間は、通常ＵＥのための２０μｓからＭＴＣ  ＵＥのための１ｍｓに緩和され得る。リリース１２  ＭＴＣ  ＵＥは、依然として、通常ＵＥと同様の方法でダウンリンク（ＤＬ）制御チャネルを監視し得、たとえば、最初の数個のシンボル中の広帯域制御チャネル（たとえば、ＰＤＣＣＨ）、ならびに比較的狭帯域を占有するが、サブフレームの長さにわたる狭帯域制御チャネル（たとえば、ｅＰＤＣＣＨ）を監視する。
【００４４】
[0051]  いくつかの規格（たとえば、ＬＴＥリリース１３）は、本明細書では向上されたＭＴＣ（またはｅＭＴＣ（enhanced MTC））と呼ばれる、様々な追加のＭＴＣ向上のためのサポートを導入し得る。たとえば、ｅＭＴＣは、ＭＴＣ  ＵＥに最高１５ｄＢのカバレージ向上（coverage enhancement）を与え得、これは、たとえば、様々なチャネル（たとえば、ＰＤＳＣＨ、ＰＵＳＣＨ、ＰＲＡＣＨ、および／またはＭＰＤＣＣＨ）の送信時間間隔（ＴＴＩ：transmission time interval）バンドリングによって達成され得る。
【００４５】
[0052]  図５のサブフレーム構造５００に示されているように、ｅＭＴＣ  ＵＥは、より広いシステム帯域幅（たとえば、１．４／３／５／１０／１５／２０ＭＨｚ）において動作しながら、狭帯域動作をサポートすることができる。図５に示されている例では、レガシー制御領域（legacy control region）５１０が最初の数個のシンボルのシステム帯域幅にわたり得、（データ領域５２０の狭い部分にわたる）システム帯域幅の狭帯域領域（narrowband region）５３０が、（本明細書ではｍＰＤＣＣＨと呼ばれる）ＭＴＣ物理ダウンリンク制御チャネルのために、および（本明細書ではｍＰＤＳＣＨと呼ばれる）ＭＴＣ物理ダウンリンク共有チャネルのために確保され得る。いくつかの場合には、狭帯域領域を監視するＭＴＣ  ＵＥは、１．４ＭＨｚまたは６つのリソースブロック（ＲＢ）において動作し得、復調のために復調基準信号（ＤＭ−ＲＳ：demodulation reference signal）を使用し得る。
【００４６】
[0053]  しかしながら、上述のように、ｅＭＴＣ  ＵＥは、６つのＲＢよりも大きい帯域幅をもつセルにおいて動作することが可能であり得る。このより大きい帯域幅内で、各ｅＭＴＣ  ＵＥは、依然として、６物理リソースブロック（ＰＲＢ）制約に従いながら動作（たとえば、監視／受信／送信）し得る。いくつかの場合には、異なるｅＭＴＣ  ＵＥが、（たとえば、各々が６ＰＲＢブロックにわたる）異なる狭帯域領域によってサービスされ得る。
【００４７】
[0054]  リリース１１では、向上された物理ダウンリンク制御チャネル（ｅＰＤＤＣＨ：enhanced physical downlink control channel）が導入された。サブフレーム中の最初の数個のシンボルにわたるＰＤＣＣＨとは対照的に、ｅＰＤＣＣＨは、周波数分割多重化（ＦＤＭ：周波数分割多重化）ベースであり、サブフレーム全体（のシンボル）にわたる。さらに、従来のＰＤＣＣＨ  ＣＲＳサポートと比較して、ｅＰＤＣＣＨは、ＤＭ−ＲＳのみをサポートし得る。
【００４８】
[0055]  いくつかの場合には、ｅＰＤＣＣＨはＵＥ固有に構成され得る。たとえば、ネットワーク中の各ＵＥは、ｅＰＤＣＣＨを監視するためのリソースの異なるセットを監視するように構成され得る。さらに、ｅＰＤＣＣＨは、２つの動作モード、すなわち、単一のプリコーダが各ＰＲＢに適用される、局所ｅＰＤＣＣＨと、２つのプリコーダが各ＰＲＢペア内の割り振られたリソースを巡回する、分散ｅＰＤＣＣＨとをサポートする。
【００４９】
[0056]  ｅＰＤＣＣＨは、向上されたリソース要素グループ（ｅＲＥＧ：enhanced resource element group）と向上された制御チャネル要素（ｅＣＣＥ：enhanced control channel element）とに基づいて構成され得る。概して、ｅＲＥＧは、ＤＭ−ＲＳ  ＲＥを除外することと、ＤＭ−ＲＳの最大量（たとえば、ノーマルサイクリックプレフィックスの場合２４個のＤＭ−ＲＳ  Ｒｅ、および拡張サイクリックプレフィックスの場合１６個のＤＭ−ＲＳ  ＲＥ）を仮定することと、何らかの非ＤＭ−ＲＳ  ＲＥ（ＤＭ−ＲＳを搬送しないＲＥ）を含むこととによって定義される。したがって、ノーマルサイクリックプレフィックスの場合、ｅＰＤＣＣＨのために利用可能なｅＲＥＧの数は、１４４（１２個のサブキャリア×１４個のシンボル−２４個のＤＭ−ＲＳ＝１４４個のＲＥ）であり、拡張サイクリックプレフィックスの場合、ｅＰＤＣＣＨのために利用可能なＲＥの数は、１２８（１２個のサブキャリア＊１２個のシンボル−１６個のＤＭ−ＲＳ＝１２８個のＲＥ）である。
【００５０】
[0057]  いくつかの場合には、ＰＲＢペアは、サブフレームタイプ、サイクリックプレフィックスタイプ、ＰＲＢペアインデックス、サブフレームインデックスなどにかかわらず、１６個のｅＲＥＧに分割され得る。したがって、ノーマルサイクリックプレフィックスの場合、ｅＲＥＧごとに９つのＲＥがあり、拡張サイクリックプレフィックスの場合はｅＲＥＧごとに８つのＲＥがある。いくつかの場合には、ｅＲＥＧ対ＲＥマッピングは、ｅＲＥＧごとの利用可能なＲＥの数を等化するのに有益であり得る、サイクリック／連続および周波数第１−時間第２（frequency-first-time-second）様式に従い得る。さらに、他の信号の存在により、ｅＰＤＣＣＨのための利用可能なＲＥの数は固定でないことがあり、ＰＲＢペア中の異なるｅＲＥＧについて異なることがある。
【００５１】
[0058]  上述のように、ＭＴＣおよび／またはｅＭＴＣ動作は、ワイヤレス通信ネットワークにおいて（たとえば、ＬＴＥまたは何らかの他のＲＡＴとの共存において）サポートされ得る。図６Ａおよび図６Ｂは、たとえば、ＭＴＣ動作中のＭＴＣ  ＵＥが、ＬＴＥなどの広帯域システム内でどのように共存し得るかの一例を示す。
【００５２】
[0059]  図６Ａの例示的なフレーム構造に示されているように、ＭＴＣおよび／またはｅＭＴＣ動作に関連するサブフレームは、ＬＴＥ（または何らかの他のＲＡＴ）に関連する通常サブフレームと時分割多重化（ＴＤＭ：time division multiplexed）され得る。
【００５３】
[0060]  追加または代替として、図６Ｂの例示的なフレーム構造に示されているように、ＭＴＣにおいてＭＴＣ  ＵＥによって使用される１つまたは複数の狭帯域は、ＬＴＥによってサポートされるより広い帯域幅内で周波数分割多重化（ＦＤＭ）され得る。各狭帯域領域が合計６つ以下のＲＢである帯域幅にわたる複数の狭帯域領域は、ＭＴＣおよび／またはｅＭＴＣ動作についてサポートされ得る。いくつかの場合には、ＭＴＣ動作における各ＭＴＣ  ＵＥは、一度に（たとえば、１．４ＭＨｚまたは６つのＲＢにおいて）１つの狭帯域領域内で動作し得る。しかしながら、ＭＴＣ動作におけるＭＴＣ  ＵＥは、所与の時間に、より広いシステム帯域幅における他の狭帯域領域に再同調（re-tune）し得る。いくつかの例では、複数のＭＴＣ  ＵＥが同じ狭帯域領域によってサービスされ得る。他の例では、複数のＭＴＣ  ＵＥが、（たとえば、各狭帯域領域が６つのＲＢにわたる）異なる狭帯域領域によってサービスされ得る。また他の例では、ＭＴＣ  ＵＥの異なる組合せが、１つまたは複数の同じ狭帯域領域および／あるいは１つまたは複数の異なる狭帯域領域によってサービスされ得る。
【００５４】
[0061]  図６Ｂに示されているように、サブフレーム６００Ｂ中で、低コストＵＥは、レガシー制御情報のための広帯域領域６０６とデータのための広帯域領域６０８Ａおよび６０８Ｂとを監視することができる。低コストＵＥは、様々な異なる動作のために狭帯域領域内で動作（たとえば、監視／受信／送信）し得る。たとえば、図６Ｂに示されているように、サブフレームの（たとえば、６つ以下のＲＢにわたる）第１の狭帯域領域６１０は、１次同期信号（ＰＳＳ）、２次同期信号（ＳＳＳ）、物理ブロードキャストチャネル（ＰＢＣＨ）、ＭＴＣシグナリング、またはワイヤレス通信ネットワーク中のＢＳからのページング送信（たとえば、ページングメッセージ（paging message））のいずれかについて、１つまたは複数の低コストＵＥによって監視され得る。同じく図６Ｂに示されているように、低コストＵＥは、ＢＳから受信されたシグナリング（signaling）において前に構成されたＲＡＣＨまたはデータを送信するために、サブフレームの（たとえば、同じく６つ以下のＲＢにわたる）第２の狭帯域領域６１２に再同調することができる。いくつかの場合には、第２の狭帯域領域６１２は、第１の狭帯域領域６１０を利用した同じ低コストＵＥによって利用され得る（たとえば、低コストＵＥは、第１の狭帯域領域中で監視した後に送信するために第２の狭帯域領域に再同調していることがある）。（図示されていないが）いくつかの場合には、第２の狭帯域領域６１２は、第１の狭帯域領域６１０を利用した低コストＵＥとは異なる低コストＵＥによって利用され得る。
【００５５】
[0062]  本明細書で説明される例は６つのＲＢの狭帯域を仮定するが、本明細書で提示される技法が異なるサイズの狭帯域領域にも適用され得ることを、当業者は認識されよう。
【００５６】
例示的な制御チャネルベースのブロードキャストメッセージング（EXAMPLE CONTROL CHANNEL BASED BROADCAST MESSAGING）
[0063]  ブロードキャストチャネル設計の場合、ＲＡＮ２では、制御チャネルは、ＭＴＣのためのシステム情報ブロック（ＳＩＢ）構成を示すために必要とされないことがあり、代わりに、マスタ情報ブロック（ＭＩＢ：master information block ）中で与えられ得る。
【００５７】
[0064]  ＲＡＣＨ応答（ＲＡＲ：RACH response）およびページングなど、他のブロードキャストチャネルの場合、制御なし動作（control-less operation）を有すること、たとえば、対応する制御チャネル情報をもたないこれらのブロードキャストチャネルの送信、および代わりに、ＵＥをＰＤＳＣＨのブラインド検出（blind detection）に依拠させることが提案されている。
【００５８】
[0065]  しかしながら、ブロードキャスト情報が制御チャネル情報なしにＰＤＳＣＨ上で送信された場合、ＵＥは、複数のターボ復号を実行する、データチャネル（たとえば、ＰＤＳＣＨ）のブラインド検出を実行するように要求され得、これは、ＵＥ側からの大きい電力消費および複雑さにつながり得る。したがって、本開示の態様は、たとえば、ブロードキャスト制御メッセージを直接送るためにＭＰＤＣＣＨチャネルを使用することによって、ＵＥの、ＰＤＳＣＨのブラインド復号を実行する必要を緩和するための技法を提供する。いくつかの場合には、これにより、ＭＴＣのためにＰＤＳＣＨを使用する必要がないことがある。
【００５９】
[0066]  図７は、本開示のいくつかの態様による、ワイヤレス通信のための例示的な動作７００を示す。動作７００は、たとえば、ＭＴＣまたはｅＭＴＣユーザ機器（ＵＥ）（たとえば、ＵＥ１２０）など、ＵＥによって実行され得る。
【００６０】
[0067]  動作７００は、７０２において、サブフレーム内で、複数の狭帯域を備えるシステム帯域幅内の狭帯域を表す第１の数の物理リソースブロック（ＰＲＢ）を占有する制御チャネルについて監視するための第１の探索空間を識別することによって開始する。７０４において、ＵＥは、制御チャネルについて少なくとも第１の探索空間を監視し、ここにおいて、制御チャネルはブロードキャスト制御情報を備える。
【００６１】
[0068]  図８は、本開示のいくつかの態様による、ワイヤレス通信のための例示的な動作８００を示す。動作８００は基地局（ＢＳ）によって実行され得る。
【００６２】
[0069]  動作８００は、８０２において、サブフレーム内で、複数の狭帯域を備えるシステム帯域幅内の狭帯域を表す第１の数の物理リソースブロック（ＰＲＢ）を占有する制御チャネルを送信するための第１の探索空間を識別することによって開始する。８０４において、ＢＳは、第１の探索空間中の復号候補を使用して、制御チャネルをユーザ機器（ＵＥ）に送信し、ここにおいて、制御チャネルはブロードキャスト制御情報を備える。
【００６３】
[0070]  いくつかの態様によれば、ブロードキャスト制御情報／メッセージを直接送るために制御チャネル（たとえば、マシンタイプ通信物理ダウンリンク制御チャネル（ＭＰＤＣＣＨ：machine type communication physical downlink control channel））を使用することは、様々な利益を与え得る。たとえば、ＭＰＤＣＣＨがテールバイティング畳み込みコード（ＴＢＣＣ：tail biting convolutional code）を使用するので、ＵＥがＴＢＣＣのブラインド検出を実装することはより単純であり、その結果、ブロードキャスト制御情報を探すためにＵＥにＰＤＳＣＨをブラインド復号させることと比較して、複雑さおよび電力消費が著しく低減され得る。さらに、ＭＰＤＣＣＨを使用することは、ｅＮＢが、同じ（１つまたは複数の）リソースブロック中で複数のユーザを多重化することを可能にし得る。別の利益は、ＭＰＤＣＣＨが、Ｒｅｌ１３ＭＴＣ  ＵＥが処理することができる最大帯域幅であり得る最高６つのＲＢを占有することをすでに許容されていることであり、したがって、このソリューションはＭＴＣ／ｅＭＴＣ  ＵＥとともにシームレスに動作することが可能になる。
【００６４】
[0071]  上記に鑑みて、およびいくつかの態様によれば、ＭＰＤＣＣＨは、ＰＤＳＣＨの必要なしに、ランダムアクセス応答（ＲＡＲ：random access response）情報（たとえば、ＭＰＤＣＣＨ＿ＲＡＲ情報）など、ブロードキャスト制御情報を直接送るために使用され得る。たとえば、ＢＳは、サブフレーム内で、制御チャネル（たとえば、より広いシステム帯域幅のうちの狭帯域を表すいくつかの物理リソースブロック（ＰＲＢ）を占有するＭＰＤＣＣＨ）についてＵＥによって監視される第１の探索空間を識別し得る。ＢＳは、次いで、第１の探索空間中の復号候補を使用して、ＭＰＤＣＣＨ上でブロードキャスト制御情報を送信し得る。さらに、いくつかの場合には、ＢＳは、ＭＴＣのためのシステム情報ブロック（ＳＩＢ）中で、ＭＰＤＣＣＨ＿ＲＡＲ情報のための構成情報（configuration information）を伝達し得る。さらに、いくつかの態様によれば、ＵＥは、第１の探索空間を識別し得、ブロードキャスト制御情報を備えるＭＰＤＣＣＨについて第１の探索空間を監視し得る。
【００６５】
[0072]  いくつかの態様によれば、競合ベースアクセス（contention based access）の場合、ＭＰＤＣＣＨ＿ＲＡＲ情報は、タイミングアドバンス（ＴＡ：timing advance）、アップリンク（ＵＬ）送信のためのＭｓｇ３のための許可、一時無線ネットワーク一時識別子（Ｔ−ＲＮＴＩ：temporary radio network temporary identifier）、および／またはプリアンブルＩＤを備え得る。いくつかの場合には、Ｍｓｇ３ＵＬ送信のためのバンドルサイズ（bundle size）は、明示的に示されるか、またはＭｓｇ２のサイズに一致させられ得る。
【００６６】
[0073]  いくつかの態様によれば、非競合ベースアクセス（non-contention based access）の場合、ＭＰＤＣＣＨ＿ＲＡＲ情報は、セル無線ネットワーク一時識別子（Ｃ−ＲＮＴＩ：cell radio network temporary identifier）、ＴＡ、および／またはランダムアクセスチャネル（ＲＡＣＨ）構成（random access channel (RACH) configuration）を備え得る。
【００６７】
[0074]  いくつかの態様によれば、ＭＰＤＣＣＨはまた、たとえば、ＭＰＤＣＣＨ＿ＲＡＲ情報に関して上記で説明されたのと同様にして、個々のユーザのためのページングをサポートするためのブロードキャスト制御情報を送信／受信するために使用され得る。たとえば、ＭＰＤＣＣＨのためのページング（たとえば、ＭＰＤＣＣＨ＿Ｐａｇｅページングメッセージ）は、各ＵＥについて異なる狭帯域を使用して、ＵＥのグループではなく、各ＵＥについて個々に、ＢＳによって送信され得る。しかしながら、いくつかの場合には、個々のＵＥについてページングメッセージを送信する代わりに、各ＭＰＤＣＣＨ＿Ｐａｇｅページングメッセージは、ＵＥの極めて小さいセット（たとえば、２つ以下のＵＥ）をターゲットにし得る。いくつかの態様によれば、ページのペイロードサイズが適度に小さい限り、単一のページが２つ以上のＵＥに適応することが可能であり得る。さらに、ページングバンドリング長さを最適化するために、同じＭＰＤＣＣＨページを共有するＵＥのグループが、同様のカバレージ必要を有することが好ましいことがある。たとえば、ＭＰＤＣＣＨページのページングバンドリング長さを最適化するために、ｅＮＢは、同じＭＰＤＣＣＨページを共有するための、同様のカバレージ必要をもつＵＥの小さいセットを決定し得る。
【００６８】
[0075]  いくつかの態様によれば、ＭＰＤＣＣＨ＿Ｐａｇｅのペイロードは、ページングメッセージをＵＥに宛てるためのユーザＩＤを備え得、ＭＴＣページング無線ネットワーク一時識別子（Ｐ−ＲＮＴＩ：paging radio network temporary identifier）を用いてｅＮＢによってスクランブル（scramble）され得る。いくつかの場合には、ＭＴＣ  Ｐ−ＲＮＴＩは、通常ＵＥ  Ｐ−ＲＮＴＩ（すなわち、非ＭＴＣ  ＰＲＮＴＩ）とは異なり得、これは、通常（非ＭＴＣ）ユーザを混乱させることなしに、ペイロードがＭＴＣ  ＵＥによって正しく解釈されることを保証する。
【００６９】
[0076]  いくつかの態様によれば、ｅＮＢが、ＭＴＣのためのＳＩＢ中でＭＰＤＣＣＨ＿Ｐａｇｅ構成情報を送信し得る。いくつかの場合には、ｅＮＢが、たとえば、ＵＥ  ＩＤをページングのための狭帯域領域（たとえば、狭帯域領域６１０）にマッピングするためのルールを定義することによって、ＭＰＤＣＣＨ＿Ｐａｇｅを異なるユーザのための異なる狭帯域に区分し得る。たとえば、ｅＮＢは、ＵＥ  ＩＤ−狭帯域マッピングルール（UE-ID-to-narrowband mapping rule）に基づいて、ＭＰＤＣＣＨ＿Ｐａｇｅページングメッセージを異なるＵＥに送信するための異なる狭帯域を識別し得る（すなわち、異なる狭帯域が、異なるＵＥのためのページングメッセージを搬送する）。
【００７０】
[0077]  いくつかの場合には、たとえば、ＭＴＣ  ＵＥが、ブロードキャスト制御情報（たとえば、ＭＰＤＣＣＨ＿ＲＡＲおよびＭＰＤＣＣＨ＿Ｐａｇｉｎｇ情報）を受信する／復号することが可能であることを保証するために、ＭＴＣ  ＳＩＢ変更（MTC SIB modification）を示すことが必要であり得る。たとえば、ＭＴＣ  ＳＩＢ情報がマスタ情報ブロック（ＭＩＢ）に基づき得るので、ＭＴＣ  ＳＩＢ変更を示すことの１つのオプションは、ＭＩＢ中でそれを示すことであり得る。すなわち、ｅＮＢが、物理ブロードキャストチャネル（ＰＢＣＨ）上で送信されたＭＩＢ中でＳＩＢ変更の指示（indication）を与え得る。ＵＥは、ＳＩＢ変更の指示を受信し得、ブロードキャスト制御情報を復号するために、変更されたＳＩＢ中の情報を使用し得る。いくつかの態様によれば、ＵＥによるＭＩＢ捕捉（acquisitions）の量を制限するために、ｅＮＢは、ＵＥがどのくらいの頻度でＭＩＢを再捕捉（re-acquire）すべきであるかを指定し得る（たとえば、システム情報ＳＩ修正期間が１０．２４ｓである場合、ＵＥは１０．２４ｓごとにＭＩＢを再捕捉する）。
【００７１】
[0078]  ＭＴＣ  ＳＩＢ変更を示すための別のオプションは、ＭＰＤＣＣＨを使用することであり得る。いくつかの態様によれば、ＳＩＢ変更では、ページングがすべてのＵＥについて共通である必要があり、これは、ＭＰＤＣＣＨベースのページング（たとえば、ＭＰＤＣＣＨ＿Ｐａｇｅ＿Ｃｏｍｍｏｎ）を用いて達成され得る。いくつかの場合には、ＭＰＤＣＣＨ＿ｐａｇｅ＿ｃｏｍｍｏｎは、特定の狭帯域中で、たとえば、中心６ＲＢ、またはすべてのＵＥが監視する別のアンカー狭帯域中で固定であり得る。さらに、ＳＩＢ変更指示が、ＭＴＣのためのページングよりもはるかに低い頻度で送信され、（ページングとは異なり）ＵＥ  ＩＤがシグナリングされることを必要としないことにより、ＳＩＢ変更の指示が１ビットのみを必要とし得るので、ＳＩＢ変更指示はページングとは異なり得る。いくつかの態様によれば、ＵＥによるブラインド復号を最小限に抑えるために、ｅＮＢは、特定のフォーマット（たとえば、１ビット配信のために最適化されたフォーマット）を示し／指定し得、そこにおいて、ＭＰＤＣＣＨオケージョンのうちのいくつかが、新しいフォーマットのために予約され得る。たとえば、ＭＰＤＣＣＨは１０．２４ｓごとに構成され得るが、ＵＥは、４０．９６ｓごとに新しい／特定のフォーマットについて検査する。
【００７２】
[0079]  ＭＴＣ  ＳＩＢ変更について示すための別のオプションは、たとえば、ｅＮＢによって、２ビットの異なる組合せを使用して、同じブロードキャストＭＰＤＣＣＨオケージョン中でＳＩＢ更新およびページングをシグナリングすることであり得る。たとえば、００は、システム情報（ＳＩ）更新がなく、ＵＥがページングされていないことを示し得、０１は、ＳＩ更新がないが、いくつかのＵＥのためのページングがあることを示し得、１０は、ＳＩ更新があるが、ＵＥのためのページングがないことを示し得、１１は、ＳＩ更新があり、いくつかのＵＥのためのページングがあることを示し得る。この場合、ＵＥは、ページングが示された場合のみ（たとえば、ＭＰＤＣＣＨ中の２ビットが、０１または１１に設定されたとき）、起動するように要求され得る。
【００７３】
[0080]  ＭＴＣ  ＳＩＢ変更について示すための別のオプションは、たとえば、ＳＩＢ更新を示すためにＭＰＤＣＣＨオケージョン内のリソースのうちのいくつかを予約することによって、ＭＰＤＣＣＨを２つの部分に分離することであり得る。たとえば、ＭＰＤＣＣＨの最初の数個のシンボル／スロット／サブフレームは、上記のように、ＳＩ更新および／またはページングがあるかどうかを示すために使用され得る。
【００７４】
[0081]  ＭＴＣ  ＳＩＢ変更について示すための別のオプションは、ＳＩＢ中の変更を直接シグナリングするためにＭＰＤＣＣＨを使用することであり得る。たとえば、いくつかの場合には、ＳＩＢの変化が小さい場合、ｅＮＢが、ＳＩＢを検査するようにＵＥにシグナリングする代わりに、ｅＮＢは、ＳＩＢ中のどのフィールドが変化したか、および新しい値が何であるかに関して、ＵＥに直接シグナリングするためにＭＰＤＣＣＨを使用し得る。いくつかの態様によれば、この種類のシグナリングを与えることは、ある妥当なサイズまで行われ得る。たとえば、ＳＩＢの様々な変化に対応して（たとえば、特定のフィールドへの変化とそれらのフィールド中の値とに対応する）３つのＭＰＤＣＣＨサイズが定義され得る。いくつかの場合には、ＵＥは、これらの３つのサイズのブラインド検出を実行し得る。たとえば、最も小さいＭＰＤＣＣＨサイズは、ページングがそもそも変化したかどうかを示し得、中間サイズおよび最も大きいサイズは、変化に関してより多くの情報を示し得る。
【００７５】
[0082]  本開示の態様は、ブロードキャスト制御情報を直接送るかまたはＳＩＢ変更を示すためにマシンタイプ通信物理ダウンリンク制御チャネル（ＭＰＤＣＣＨ）を使用することに適合されるが、本明細書で提示される技法が他の技術および他の制御チャネルにも適用され得ることを理解されたい。たとえば、本明細書で提示される技法は、狭帯域物理ダウンリンク制御チャネル（ＮＢ−ＰＤＣＣＨ：narrow band physical downlink control channel）を使用する狭帯域モノのインターネット（ＮＢ−ＩＯＴ：narrow band internet of things）通信にも適用され得る。
【００７６】
[0083]  本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００７７】
[0084]  上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア／ファームウェア構成要素および／またはモジュールを含み得る。概して、図に示されている動作がある場合、それらの動作は、任意の好適な対応するカウンターパートのミーンズプラスファンクション構成要素によって実行され得る。
【００７８】
[0085]  たとえば、識別するための手段および／または監視するための手段は、図２に示されたユーザ端末１２０の受信プロセッサ２５８および／またはコントローラ／プロセッサ２８０、ならびに／あるいは図２に示された基地局１１０の送信プロセッサ２２０および／またはコントローラ／プロセッサ２４０など、１つまたは複数のプロセッサを含み得る。受信するための手段は、図２に示されたユーザ端末１２０の受信プロセッサ（たとえば、受信プロセッサ２５８）および／または（１つまたは複数の）アンテナ２５２を備え得る。送信するための手段は、図２に示されたｅＮＢ１２０の送信プロセッサ（たとえば、送信プロセッサ２２０）および／または（１つまたは複数の）アンテナ２３４を備え得る。
【００７９】
[0086]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【００８０】
[0087]  さらに、本明細書の開示に関して説明された様々な例示的な論理ブロック、モジュール、回路、およびアルゴリズムステップは、電子ハードウェア、ソフトウェア／ファームウェア、またはそれらの組合せとして実装され得ることを、当業者は諒解されよう。ハードウェアとソフトウェア／ファームウェアのこの互換性を明確に示すために、様々な例示的な構成要素、ブロック、モジュール、回路、およびステップが、概してそれらの機能に関して上記で説明された。そのような機能がハードウェアとして実装されるか、ソフトウェア／ファームウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００８１】
[0088]  本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００８２】
[0089]  本明細書の開示に関して説明された方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ（ＰＣＭ）、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００８３】
[0090]  １つまたは複数の例示的な設計では、説明された機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００８４】
[0091]  本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
ユーザ機器（ＵＥ）によるワイヤレス通信のための方法であって、
サブフレーム内で、複数の狭帯域を備えるシステム帯域幅内の狭帯域を表す第１の数の物理リソースブロック（ＰＲＢ）を占有する制御チャネルについて監視するための第１の探索空間を識別することと、
前記制御チャネルについて少なくとも前記第１の探索空間を監視することと、ここにおいて、前記制御チャネルがブロードキャスト制御情報を備える、
を備える、方法。
［Ｃ２］
前記ブロードキャスト制御情報がページングメッセージを備える、Ｃ１に記載の方法。
［Ｃ３］
前記ページングメッセージが、複数のＵＥのためのページング情報（paging information）と、前記ページングメッセージを前記ＵＥに宛てるためのＵＥ  ＩＤとを備え、ここにおいて、前記ページングメッセージが、ページング無線ネットワーク一時識別子（Ｐ−ＲＮＴＩ）を用いてスクランブルされる、Ｃ２に記載の方法。
［Ｃ４］
システム情報ブロック（ＳＩＢ）中で前記ページングメッセージのための構成情報を受信することをさらに備える、Ｃ２に記載の方法。
［Ｃ５］
前記狭帯域が、他のＵＥのためのページングメッセージを搬送するために使用される前記複数の狭帯域のうちの他の狭帯域とは異なる、Ｃ４に記載の方法。
［Ｃ６］
ＵＥ  ＩＤ−狭帯域マッピングルールに従って、前記ページングメッセージを受信するための前記狭帯域を識別することをさらに備える、Ｃ５に記載の方法。
［Ｃ７］
システム情報ブロック（ＳＩＢ）変更の指示を受信することをさらに備え、ここにおいて、前記ＳＩＢが、前記ブロードキャスト制御情報を復号するための情報を備える、Ｃ１に記載の方法。
［Ｃ８］
前記ＳＩＢ変更の前記指示を受信することが、物理ブロードキャストチャネル（ＰＢＣＨ）上で送信されたマスタ情報ブロック（ＭＩＢ）中で前記ＳＩＢ変更の前記指示を受信することを備える、Ｃ７に記載の方法。
［Ｃ９］
前記ＵＥがどのくらいの頻度で前記ＭＩＢを捕捉すべきであるかを示すシグナリングを受信することをさらに備える、Ｃ８に記載の方法。
［Ｃ１０］
前記ＳＩＢ変更の前記指示を受信することが、前記制御チャネル中で前記ＳＩＢ変更の前記指示を受信することを備える、Ｃ７に記載の方法。
［Ｃ１１］
前記制御チャネル中の２ビットの異なる組合せは、ＳＩＢ変更があるかどうかと、前記ＵＥのためのページング情報があるかどうかとを示す、Ｃ１０に記載の方法。
［Ｃ１２］
前記ＳＩＢ変更の前記指示が、および前記ＳＩＢ中のどのフィールドが変更されたかの指示と、変更された前記ＳＩＢ中の前記フィールドの値とを備える、Ｃ７に記載の方法。
［Ｃ１３］
前記ブロードキャスト制御情報がランダムアクセス応答（ＲＡＲ）メッセージを備える、Ｃ１に記載の方法。
［Ｃ１４］
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子（preamble identifier）のうちの少なくとも１つを備える、Ｃ１３に記載の方法。
［Ｃ１５］
前記ＲＡＲメッセージが、前記ＵＬ送信のためのバンドルサイズをさらに備える、Ｃ１４に記載の方法。
［Ｃ１６］
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、Ｃ１３に記載の方法。
［Ｃ１７］
システム情報ブロック（ＳＩＢ）中で前記ＲＡＲメッセージのための構成情報を受信することをさらに備える、Ｃ１３に記載の方法。
［Ｃ１８］
前記制御チャネルがダウンリンク制御チャネルを備える、Ｃ１に記載の方法。
［Ｃ１９］
前記ダウンリンク制御チャネルが、マシンタイプ通信物理ダウンリンク制御チャネル（ＭＰＤＣＣＨ）または狭帯域物理ダウンリンク制御チャネル（ＮＢ−ＰＤＣＣＨ）のうちの少なくとも１つを備える、Ｃ１８に記載の方法。
［Ｃ２０］
基地局（ＢＳ）によるワイヤレス通信のための方法であって、
サブフレーム内で、複数の狭帯域を備えるシステム帯域幅内の狭帯域を表す第１の数の物理リソースブロック（ＰＲＢ）を占有する制御チャネルを送信するための第１の探索空間を識別することと、
前記第１の探索空間中の復号候補を使用して、前記制御チャネルをユーザ機器（ＵＥ）に送信することと、ここにおいて、前記制御チャネルがブロードキャスト制御情報を備える、
を備える、方法。
［Ｃ２１］
前記ブロードキャスト制御情報がページングメッセージを備える、Ｃ２０に記載の方法。
［Ｃ２２］
前記ページングメッセージが、複数のＵＥのためのページング情報と、前記ページングメッセージを前記ＵＥに宛てるためのＵＥ  ＩＤとを備え、ここにおいて、前記ページングメッセージが、ページング無線ネットワーク一時識別子（Ｐ−ＲＮＴＩ）を用いてスクランブルされる、Ｃ２１に記載の方法。
［Ｃ２３］
システム情報ブロック（ＳＩＢ）中で前記ページングメッセージのための構成情報を送信することをさらに備える、Ｃ２１に記載の方法。
［Ｃ２４］
前記狭帯域が、他のＵＥのためのページングメッセージを搬送するために使用される前記複数の狭帯域のうちの他の狭帯域とは異なる、Ｃ２３に記載の方法。
［Ｃ２５］
ＵＥ  ＩＤ−狭帯域マッピングルールに従って、前記ページングメッセージを前記ＵＥに送信するための前記狭帯域を識別することをさらに備える、Ｃ２４に記載の方法。
［Ｃ２６］
システム情報ブロック（ＳＩＢ）変更の指示を送信することをさらに備え、ここにおいて、前記ＳＩＢが、前記ブロードキャスト制御情報を復号するための情報を備える、Ｃ２０に記載の方法。
［Ｃ２７］
前記ＳＩＢ変更の前記指示を送信することが、物理ブロードキャストチャネル（ＰＢＣＨ）上のマスタ情報ブロック（ＭＩＢ）中で前記ＳＩＢ変更の前記指示を送信することを備える、Ｃ２６に記載の方法。
［Ｃ２８］
前記ＵＥがどのくらいの頻度で前記ＭＩＢを捕捉すべきであるかを示すシグナリングを送信することをさらに備える、Ｃ２７に記載の方法。
［Ｃ２９］
前記ＳＩＢ変更の前記指示を送信することが、前記制御チャネル中で前記ＳＩＢ変更の前記指示を送信することを備える、Ｃ２６に記載の方法。
［Ｃ３０］
前記制御チャネル中の２ビットの異なる組合せは、ＳＩＢ変更があるかどうかと、前記ＵＥのためのページング情報があるかどうかとを示す、Ｃ２９に記載の方法。
［Ｃ３１］
前記ＳＩＢ変更の前記指示が、および前記ＳＩＢ中のどのフィールドが変更されたかの指示と、変更されたＳＩＢ中の前記フィールドの値とを備える、Ｃ２６に記載の方法。
［Ｃ３２］
前記ブロードキャスト制御情報がランダムアクセス応答（ＲＡＲ）メッセージを備える、Ｃ２０に記載の方法。
［Ｃ３３］
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、Ｃ３２に記載の方法。
［Ｃ３４］
前記ＲＡＲメッセージが、前記ＵＬ送信のためのバンドルサイズをさらに備える、Ｃ３３に記載の方法。
［Ｃ３５］
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、Ｃ３２に記載の方法。
［Ｃ３６］
システム情報ブロック（ＳＩＢ）中で前記ＲＡＲメッセージのための構成情報を送信することをさらに備える、Ｃ３２に記載の方法。
［Ｃ３７］
前記制御チャネルがダウンリンク制御チャネルを備える、Ｃ２０に記載の方法。
［Ｃ３８］
前記ダウンリンク制御チャネルが、マシンタイプ通信物理ダウンリンク制御チャネル（ＭＰＤＣＣＨ）または狭帯域物理ダウンリンク制御チャネル（ＮＢ−ＰＤＣＣＨ）のうちの少なくとも１つを備える、Ｃ３７に記載の方法。
［Ｃ３９］
ユーザ機器（ＵＥ）によるワイヤレス通信のための装置であって、
サブフレーム内で、複数の狭帯域を備えるシステム帯域幅内の狭帯域を表す第１の数の物理リソースブロック（ＰＲＢ）を占有する制御チャネルについて監視するための第１の探索空間を識別することと、
前記制御チャネルについて少なくとも前記第１の探索空間を監視することと、ここにおいて、前記制御チャネルがブロードキャスト制御情報を備える、
を行うように構成された少なくとも１つのプロセッサを備える、装置。
［Ｃ４０］
前記ブロードキャスト制御情報がページングメッセージを備える、Ｃ３９に記載の装置。
［Ｃ４１］
前記ページングメッセージが、複数のＵＥのためのページング情報と、前記ページングメッセージを前記ＵＥに宛てるためのＵＥ  ＩＤとを備え、ここにおいて、前記ページングメッセージが、ページング無線ネットワーク一時識別子（Ｐ−ＲＮＴＩ）を用いてスクランブルされる、Ｃ４０に記載の装置。
［Ｃ４２］
前記少なくとも１つのプロセッサが、システム情報ブロック（ＳＩＢ）変更の指示を受信するようにさらに構成され、ここにおいて、前記ＳＩＢが、前記ブロードキャスト制御情報を復号するための情報を備える、Ｃ３９に記載の装置。
［Ｃ４３］
前記少なくとも１つのプロセッサが、物理ブロードキャストチャネル（ＰＢＣＨ）上で送信されたマスタ情報ブロック（ＭＩＢ）中で前記ＳＩＢ変更の前記指示を受信するように構成された、Ｃ４２に記載の装置。
［Ｃ４４］
前記ＳＩＢ変更の前記指示が、および前記ＳＩＢ中のどのフィールドが変更されたかの指示と、変更された前記ＳＩＢ中の前記フィールドの値とを備える、Ｃ４２に記載の装置。
［Ｃ４５］
前記ブロードキャスト制御情報がランダムアクセス応答（ＲＡＲ）メッセージを備える、Ｃ３９に記載の装置。
［Ｃ４６］
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、Ｃ４５に記載の装置。
［Ｃ４７］
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、Ｃ４５に記載の装置。
［Ｃ４８］
基地局（ＢＳ）によるワイヤレス通信のための装置であって、
サブフレーム内で、複数の狭帯域を備えるシステム帯域幅内の狭帯域を表す第１の数の物理リソースブロック（ＰＲＢ）を占有する制御チャネルを送信するための第１の探索空間を識別するように構成された少なくとも１つのプロセッサと、
前記第１の探索空間中の復号候補を使用して、前記制御チャネルをユーザ機器（ＵＥ）に送信するように構成された送信機と、ここにおいて、前記制御チャネルがブロードキャスト制御情報を備える、
を備える、装置。
［Ｃ４９］
前記ブロードキャスト制御情報がページングメッセージを備える、Ｃ４８に記載の装置。
［Ｃ５０］
前記ページングメッセージが、複数のＵＥのためのページング情報と、前記ページングメッセージを前記ＵＥに宛てるためのＵＥ  ＩＤとを備え、ここにおいて、前記ページングメッセージが、ページング無線ネットワーク一時識別子（Ｐ−ＲＮＴＩ）を用いてスクランブルされる、Ｃ４９に記載の装置。
［Ｃ５１］
前記送信機が、システム情報ブロック（ＳＩＢ）変更の指示を送信するようにさらに構成され、ここにおいて、前記ＳＩＢが、前記ブロードキャスト制御情報を復号するための情報を備える、Ｃ４８に記載の装置。
［Ｃ５２］
前記ＳＩＢ変更の前記指示が、および前記ＳＩＢ中のどのフィールドが変更されたかの指示と、変更されたＳＩＢ中の前記フィールドの値とを備える、Ｃ５１に記載の装置。
［Ｃ５３］
前記ブロードキャスト制御情報がランダムアクセス応答（ＲＡＲ）メッセージを備える、Ｃ４８に記載の装置。
［Ｃ５４］
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、Ｃ５３に記載の装置。
［Ｃ５５］
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、Ｃ５３に記載の装置。
［Ｃ５６］
ユーザ機器（ＵＥ）によるワイヤレス通信のための装置であって、
サブフレーム内で、複数の狭帯域を備えるシステム帯域幅内の狭帯域を表す第１の数の物理リソースブロック（ＰＲＢ）を占有する制御チャネルについて監視するための第１の探索空間を識別するための手段と、
前記制御チャネルについて少なくとも前記第１の探索空間を監視するための手段と、ここにおいて、前記制御チャネルがブロードキャスト制御情報を備える、
を備える、装置。
［Ｃ５７］
基地局（ＢＳ）によるワイヤレス通信のための装置であって、
サブフレーム内で、複数の狭帯域を備えるシステム帯域幅内の狭帯域を表す第１の数の物理リソースブロック（ＰＲＢ）を占有する制御チャネルを送信するための、ユーザ機器（ＵＥ）によって監視される第１の探索空間を識別するための手段と、
前記第１の探索空間中の復号候補を使用して、前記制御チャネルをユーザ機器（ＵＥ）に送信するための手段と、ここにおいて、前記制御チャネルがブロードキャスト制御情報を備える、
を備える、装置。
［Ｃ５８］
少なくとも１つのプロセッサによって実行されるコードを備える非一時的コンピュータ可読媒体であって、前記コードは、
サブフレーム内で、複数の狭帯域を備えるシステム帯域幅内の狭帯域を表す第１の数の物理リソースブロック（ＰＲＢ）を占有する制御チャネルについて監視するための第１の探索空間を識別するためのコードと、
前記制御チャネルについて少なくとも前記第１の探索空間を監視するためのコードと、ここにおいて、前記制御チャネルがブロードキャスト制御情報を備える、
を備える、非一時的コンピュータ可読媒体。
［Ｃ５９］
少なくとも１つのプロセッサによって実行されるコードを備える非一時的コンピュータ可読媒体であって、前記コードは、
サブフレーム内で、複数の狭帯域を備えるシステム帯域幅内の狭帯域を表す第１の数の物理リソースブロック（ＰＲＢ）を占有する制御チャネルを送信するための第１の探索空間を識別するためのコードと、
前記第１の探索空間中の復号候補を使用して、前記制御チャネルをユーザ機器（ＵＥ）に送信するためのコードと、ここにおいて、前記制御チャネルがブロードキャスト制御情報を備える、
を備える、非一時的コンピュータ可読媒体。
【図１】
0006805168.tif 000002
【図２】
0006805168.tif 000003
【図３】
0006805168.tif 000004
【図４】
0006805168.tif 000005
【図５】
0006805168.tif 000006
【図６Ａ】
0006805168.tif 000007
【図６Ｂ】
0006805168.tif 000008
【図７】
0006805168.tif 000009
【図８】
0006805168.tif 000010